(57)【要約】【課題】  多様な音声出力が可能であるとともに不当な複雑化を回避することが可能な測定システムを提供すること。【解決手段】  測定システムＡは、生体試料中の特定成分の濃度を測定する測定部１Ｂ、測定部１Ｂによって測定された測定データを無線通信によって送信する測定側通信部、および測定部１Ｂおよび前記測定側通信部を制御する測定側制御部、を有する測定装置Ｂと、測定装置Ｂの前記測定側通信部から送信された前記測定データを受信する出力側通信部、複数の音声データが記憶された出力側記憶部、前記測定データに基いて前記出力側記憶部から前記音声データを選択する、または音声データを生成する出力側制御部、および前記出力側制御部によって選択または生成された前記音声データを出力する音声出力部８Ｃ、を有する多機能携帯端末Ｃと、を備える。【選択図】  図１
2014209095.tif 000002
【特許請求の範囲】
【請求項１】
生体試料中の特定成分の濃度を測定する測定部、前記測定部によって測定された測定データを無線通信によって送信する測定側通信部、および前記測定部および前記測定側通信部を制御する測定側制御部、を有する測定装置と、
前記測定装置の前記測定側通信部から送信された前記測定データを受信する出力側通信部、複数の音声データが記憶された出力側記憶部、前記測定データに基いて前記出力側記憶部から前記音声データを選択する、または音声データを生成する出力側制御部、および前記出力側制御部によって選択または生成された前記音声データを出力する音声出力部、を有する多機能携帯端末と、を備える、測定システム。
【請求項２】
前記測定装置は、複数の前記測定データが記憶された測定側記憶部を有する、請求項１に記載の測定システム。
【請求項３】
前記出力側制御部は、前記測定データの濃度に対応する所定の測定単位に準拠した数値を含む前記音声データである測定値音声データを選択または生成し、この測定値音声データを前記音声出力部に出力させる、請求項２に記載の測定システム。
【請求項４】
前記出力側記憶部には、前記測定データと比較されるしきい値データと、前記しきい値データとの比較結果に対応する複数のしきい値比較結果音声データと、が記憶されており、
前記出力側制御部は、前記測定データと前記しきい値データとの比較結果に基いて選択した前記しきい値比較結果音声データを前記音声出力部に出力させる、請求項２または３に記載の測定システム。
【請求項５】
前記測定側記憶部には、前記測定データと比較されるしきい値データが記憶されており、
前記測定側制御部は、前記測定データと前記しきい値データとの比較結果に基いて生成した比較結果フラグを前記測定側通信部に送信させ、
前記出力側記憶部には、前記比較結果フラグに対応する複数のしきい値比較結果音声データが記憶されており、
前記出力側制御部は、前記比較結果フラグに基いて選択した前記しきい値比較結果音声データを前記音声出力部に出力させる、請求項２または３に記載の測定システム。
【請求項６】
前記測定装置は、日時を計数する測定側日時計数部を有し、
前記測定側制御部は、前記測定データが得られた日時を前記測定側日時計数部から取得することにより測定日時データを生成し、
前記測定側記憶部には、前記測定日時データが記憶される、請求項２ないし５のいずれかに記載の測定システム。
【請求項７】
前記多機能携帯端末は、日時を計数する出力側日時計数部を有し、
前記出力側通信部は、公衆通信回線を介した通信が可能であり、
前記出力側制御部は、前記出力側通信部によって公衆通信回線を介して取得した基準日時データに基いて、前記出力側日時計数部の計数を補正するとともに、前記測定装置から送信された測定日時データと前記出力側日時計数部によって計数された日時データとの比較の結果、前記測定側日時計数部に所定以上の誤差が生じていると判断した場合に、修正日時データを前記出力側通信部に送信させ、
前記測定側制御部は、前記測定側通信部によって受信された前記修正日時データに基いて、前記測定側日時計数部の計数を補正する、請求項６に記載の測定システム。
【請求項８】
前記測定側制御部は、複数の前記測定データおよびこれらの測定データに対応した複数の測定日時データを送信し、
前記出力側制御部は、前記出力側通信部が受信した複数の前記測定データのうち対応する前記測定日時データが最新であるもののみに対応する前記測定値音声データを選択または生成し、かつこの測定値音声データを前記音声出力部に出力させる、請求項６または７に記載の測定システム。
【請求項９】
前記出力側記憶部には、前記測定日時データに対応した複数の測定時間帯音声データが記憶されており、
前記出力側制御部は、前記測定日時データに基いて前記測定時間帯音声データを選択し、かつ前記音声出力部に出力させる、請求項６ないし８のいずれかに記載の測定システム。
【請求項１０】
前記出力側記憶部には、ある前記測定データと過去の複数の前記測定データとの比較結果に対応する複数の履歴比較結果音声データが記憶されており、
前記出力側制御部は、前記出力側通信部が受信した前記測定データと、前記出力側記憶部に既に記憶された過去の複数の前記測定データとの比較結果に基いて選択した前記履歴値比較結果音声データを前記音声出力部に出力させる、請求項６ないし９のいずれかに記載の測定システム。
【請求項１１】
前記出力側記憶部には、測定頻度に対応した１以上の頻度音声データが記憶されており、
前記出力側制御部は、ある前記測定データの前記測定日時データと前記出力側記憶部に記憶された最新の前記測定日時データとの比較結果に基づいて前記頻度音声データを選択し、かつこの頻度音声データを前記音声出力部に出力させる、請求項６ないし１０のいずれかに記載の測定システム。
【請求項１２】
前記出力側制御部は、少なくとも前記出力側記憶部に記憶された過去の複数の前記測定データの平均値を算出し、この平均値に対応した前記測定値音声データを選択または生成し、かつこの測定値音声データを前記音声出力部に出力させる、請求項６ないし１１のいずれかに記載の測定システム。
【請求項１３】
前記測定装置は、測温部を有しており、
前記測定側制御部は、前記測温部によって測定された測定温度に基いて生成した測定温度フラグを前記測定側通信部に送信させ、
前記出力側記憶部には、前記測定温度フラグに対応する複数の測定温度音声データが記憶されており、
前記出力側制御部は、前記測定温度フラグに基いて選択した前記測定温度音声データを前記音声出力部に出力させる、請求項１ないし１２のいずれかに記載の測定システム。
【請求項１４】
前記出力側記憶部には、前記測定装置の測定環境が不適切であることを示唆する不適切環境音声データが記憶されており、
前記出力側制御部は、前記測定温度フラグの内容または頻度に基いて前記不適切環境音声データを前記音声出力部に出力させる、請求項１３に記載の測定システム。
【請求項１５】
前記多機能携帯端末は、位置情報を取得する位置情報取得部を有しており、
前記出力側記憶部には、音声出力が許可される領域を表す許可領域データまたは音声出力が禁止される禁止領域を表す禁止領域データが記憶されており、
前記出力側制御部は、前記位置情報取得部によって取得された前記位置情報と前記許可領域データまたは前記禁止領域データとを比較した結果に基いて、前記音声出力部による音声出力を許可または禁止する、請求項１ないし１４のいずれかに記載の測定システム。
【請求項１６】
前記生体試料が血液であり、前記特定成分がグルコースである、請求項１ないし１５のいずれかに記載の血糖値測定システム。
【発明の詳細な説明】
【技術分野】
【０００１】
本発明は、たとえば自己血糖測定に用いられる測定システムに関する。
【背景技術】
【０００２】
生活習慣病などを有する患者は、疾患の状態把握や投薬管理のために、日常的に、自己の当該疾患に関連する生体成分の状態（濃度など）を把握する必要がある。生体成分の状態の把握には、携帯型の測定装置を用いることが一般的である。例えば、糖尿病患者は、食事管理や投薬管理のために、日常的に自己の血糖値を把握する必要がある。そのため、糖尿病患者は、自己血糖測定（Self-Monitoring of Blood Glucose、以下ＳＭＢＧ）装置を携帯し自己の血糖値を測定することを要求される。
【０００３】
特許文献１には、ＳＭＢＧ装置の一例が開示されている。本文献に開示されたＳＭＢＧ装置は、血糖値の測定を行った後に、その測定結果である血糖値を音声によって出力するための音声出力部を備えている。このＳＭＢＧ装置を使用する患者は、血糖値測定の操作を行った後に、たとえば液晶ディスプレイなどからなる表示部に表示された血糖値を目視によって確認することに加えて、前記音声出力部からの音声によって血糖値を確認することができる。
【０００４】
特許文献２には、別体とされた音声出力デバイスを備えたＳＭＢＧ装置が提案されている。本文献に開示されたＳＭＢＧ装置は、血糖値測定を行う本体部と、この本体部に対して赤外線などを用いた無線通信可能に構成された前記音声出力デバイスとを具備している。前記本体部においては、血糖値の測定の後に、測定された血糖値に対応した音声が選択もしくは生成される。次いで、前記本体部は、前記音声を前記無線通信を介して前記音声出力デバイスに送信する。前記音声出力デバイスは、典型的には、受信した音声電気信号を増幅するアンプ部およびこのアンプ部からの音声電気信号を出力するスピーカ部からなる。このようなＳＭＢＧ装置を用いることにより、前記音声出力デバイスからの音声によって血糖値を確認することができる。前記音声出力デバイスを聞き取りに適した位置に携帯しておけば、より鮮明な音声によって血糖値を確認することが可能である。
【０００５】
上述した特許文献１，２に記載のＳＭＢＧ装置においては、いずれの構成であっても、本体が測定機能と音声生成機能とを備える必要がある。測定機能はＳＭＢＧ装置には必須機能である一方、音声生成機能は患者の利便性を向上させるためのものである。しかし、音声生成機能が貧弱であると患者の利便性向上という目的を充分に達成できない。患者が容易かつ確実に血糖値を確認し、それによって自己の健康状態を把握し、適切な測定行為を継続するには、音声出力機能にも様々な態様が求められる。音声出力機能を多様化させようとすると、測定機能を有する本体の大型化、複雑化、さらには高コスト化が避けられないという問題がある。
【先行技術文献】
【特許文献】
【０００６】
【特許文献１】特開２０１１−２４７８８４号公報
【特許文献２】特許第４３９５１４６号公報
【発明の概要】
【発明が解決しようとする課題】
【０００７】
本発明は、上記した事情のもとで考え出されたものであって、多様な音声出力が可能であるとともに不当な複雑化を回避することが可能な測定システムを提供することをその課題とする。
【課題を解決するための手段】
【０００８】
本発明によって提供される測定システムは、生体試料中の特定成分の濃度を測定する測定部、前記測定部によって測定された測定データを無線通信によって送信する測定側通信部、および前記測定部および前記測定側通信部を制御する測定側制御部、を有する測定装置と、前記測定装置の前記測定側通信部から送信された前記測定データを受信する出力側通信部、複数の音声データが記憶された出力側記憶部、前記測定データに基いて前記出力側記憶部から前記音声データを選択する、または音声データを生成する出力側制御部、および前記出力側制御部によって選択または生成された前記音声データを出力する音声出力部、を有する多機能携帯端末と、を備える。
【０００９】
本発明の好ましい実施の形態においては、前記測定装置は、複数の前記測定データが記憶された測定側記憶部を有する。
【００１０】
本発明の好ましい実施の形態においては、前記出力側制御部は、前記測定データの濃度に対応する所定の測定単位に準拠した数値を含む前記音声データである測定値音声データを選択または生成し、この測定値音声データを前記音声出力部に出力させる。
【００１１】
本発明の好ましい実施の形態においては、前記出力側記憶部には、前記測定データと比較されるしきい値データと、前記しきい値データとの比較結果に対応する複数のしきい値比較結果音声データと、が記憶されており、前記出力側制御部は、前記測定データと前記しきい値データとの比較結果に基いて選択した前記しきい値比較結果音声データを前記音声出力部に出力させる。
【００１２】
本発明の好ましい実施の形態においては、前記測定側記憶部には、前記測定データと比較されるしきい値データが記憶されており、前記測定側制御部は、前記測定データと前記しきい値データとの比較結果に基いて生成した比較結果フラグを前記測定側通信部に送信させ、前記出力側記憶部には、前記比較結果フラグに対応する複数のしきい値比較結果音声データが記憶されており、前記出力側制御部は、前記比較結果フラグに基いて選択した前記しきい値比較結果音声データを前記音声出力部に出力させる。
【００１３】
本発明の好ましい実施の形態においては、前記測定装置は、日時を計数する測定側日時計数部を有し、前記測定側制御部は、前記測定データが得られた日時を前記測定側日時計数部から取得することにより測定日時データを生成し、前記測定側記憶部には、前記測定日時データが記憶される。
【００１４】
本発明の好ましい実施の形態においては、前記多機能携帯端末は、日時を計数する出力側日時計数部を有し、前記出力側通信部は、公衆通信回線を介した通信が可能であり、前記出力側制御部は、前記出力側通信部によって公衆通信回線を介して取得した基準日時データに基づいて、前記出力側日時計数部の計数を補正するとともに、前記測定装置から送信された測定日時データと前記出力側日時計数部によって計数された日時データとの比較の結果、前記測定側日時計数部に所定以上の誤差が生じていると判断した場合に、修正日時データを前記出力側通信部に送信させ、前記測定側制御部は、前記測定側通信部によって受信された前記修正日時データに基づいて、前記測定側日時計数部の計数を補正する。
【００１５】
本発明の好ましい実施の形態においては、前記測定側制御部は、複数の前記測定データおよびこれらの測定データに対応した複数の測定日時データを送信し、前記出力側制御部は、前記出力側通信部が受信した複数の前記測定データのうち対応する前記測定日時データが最新であるもののみに対応する前記測定値音声データを選択または生成し、かつこの測定値音声データを前記音声出力部に出力させる。
【００１６】
本発明の好ましい実施の形態においては、前記出力側記憶部には、前記測定日時データに対応した複数の測定時間帯音声データが記憶されており、前記出力側制御部は、前記測定日時データに基いて前記測定時間帯音声データを選択し、かつ前記音声出力部に出力させる。
【００１７】
本発明の好ましい実施の形態においては、前記出力側記憶部には、ある前記測定データと過去の複数の前記測定データとの比較結果に対応する複数の履歴比較結果音声データが記憶されており、前記出力側制御部は、前記出力側通信部が受信した前記測定データと、前記出力側記憶部に既に記憶された過去の複数の前記測定データとの比較結果に基いて選択した前記履歴値比較結果音声データを前記音声出力部に出力させる。
【００１８】
本発明の好ましい実施の形態においては、前記出力側記憶部には、測定頻度に対応した１以上の頻度音声データが記憶されており、前記出力側制御部は、ある前記測定データの前記測定日時データと前記出力側記憶部に記憶された最新の前記測定日時データとの比較結果に基づいて前記頻度音声データを選択し、かつこの頻度音声データを前記音声出力部に出力させる。
【００１９】
本発明の好ましい実施の形態においては、前記出力側制御部は、少なくとも前記出力側記憶部に記憶された過去の複数の前記測定データの平均値を算出し、この平均値に対応した前記測定値音声データを選択または生成し、かつこの測定値音声データを前記音声出力部に出力させる。
【００２０】
本発明の好ましい実施の形態においては、前記測定装置は、測温部を有しており、前記測定側制御部は、前記測温部によって測定された測定温度に基いて生成した測定温度フラグを前記測定側通信部に送信させ、前記出力側記憶部には、前記測定温度フラグに対応する複数の測定温度音声データが記憶されており、前記出力側制御部は、前記測定温度フラグに基いて選択した前記測定温度音声データを前記音声出力部に出力させる。
【００２１】
本発明の好ましい実施の形態においては、前記出力側記憶部には、前記測定装置の測定環境が不適切であることを示唆する不適切環境音声データが記憶されており、前記出力側制御部は、前記測定温度フラグの内容または頻度に基いて前記不適切環境音声データを前記音声出力部に出力させる。
【００２２】
本発明の好ましい実施の形態においては、前記多機能携帯端末は、位置情報を取得する位置情報取得部を有しており、前記出力側記憶部には、音声出力が許可される領域を表す許可領域データまたは音声出力が禁止される禁止領域を表す禁止領域データが記憶されており、前記出力側制御部は、前記位置情報取得部によって取得された前記位置情報と前記許可領域データまたは前記禁止領域データとを比較した結果に基いて、前記音声出力部による音声出力を許可または禁止する。
【００２３】
本発明の好ましい実施の形態においては、前記生体試料が血液であり、前記特定成分がグルコースである。
【発明の効果】
【００２４】
本発明の一態様によれば、前記測定装置は、前記特定成分の測定とこの測定値を送信する機能とを備えていれば、測定値に関する音声データの生成は、前記多機能携帯端末によってなされる。このため、様々な音声出力を、たとえば多機能携帯端末に実行させるプログラムを充実させることで実現可能であり、前記測定装置の構成を不当に複雑化する必要がない。したがって、多様な音声出力が可能であるとともに不当な複雑化を回避することが可能な前記測定システムを提供することができる。
【００２５】
本発明のその他の特徴および利点は、添付図面を参照して以下に行う詳細な説明によって、より明らかとなろう。
【図面の簡単な説明】
【００２６】
【図１】本発明に係る測定システムの一例を示す概略斜視図である。
【図２】図１の測定システムに用いられる測定装置の一例を示すシステム構成図である。
【図３】図１の測定システムに用いられる多機能携帯端末の一例を示すシステム構成図である。
【図４】図１の測定システムにおける処理Ｐ０１を示すフローチャートである。
【図５】図１の測定システムにおける処理Ｐ０２を示すフローチャートである。
【図６】図１の測定システムにおける処理Ｐ０３を示すフローチャートである。
【図７】図１の測定システムにおける処理Ｐ０４を示すフローチャートである。
【図８】図１の測定システムにおける処理Ｐ０５を示すフローチャートである。
【図９】図１の測定システムにおける処理Ｐ０６を示すフローチャートである。
【図１０】図１の測定システムにおける処理Ｐ０７を示すフローチャートである。
【図１１】図１の測定システムにおける処理Ｐ０８を示すフローチャートである。
【図１２】図１の測定システムにおける処理Ｐ０９を示すフローチャートである。
【図１３】図１の測定システムにおける処理Ｐ１０を示すフローチャートである。
【図１４】図１の測定システムにおける処理Ｐ１１を示すフローチャートである。
【発明を実施するための形態】
【００２７】
以下、本発明の好ましい実施の形態につき、図面を参照して具体的に説明する。
【００２８】
図１は、本発明に係る測定システムの一例を示している。本実施形態の測定システムＡは、測定装置Ｂおよび多機能携帯端末Ｃからなる。
【００２９】
測定装置Ｂは、生体試料中の特定成分の濃度を測定する測定機能を具備しており、典型的には、血液中のグルコースの濃度を測定することにより血糖値を測定する。前記生体試料は、特に限定されないが、自己で採取することが容易である血液、尿、汗などが挙げられ、前記特定成分は、その生体試料中の濃度などの状態が、身体の状態に関連しうる成分である。身体の状態とは、疾患、トレーニングによる疲労などが挙げられる。具体的には、糖尿病、肥満、高コレステロール血症などを含む生活習慣病に関連するグルコース、コレステロール、およびトリグリセリド、トレーニングによる疲労に関連する乳酸などが挙げられる。前記特定成分がグルコースの場合は、被検者は通常糖尿病患者であり、前記特定成分が乳酸の場合は、被検者は通常スポーツ選手であり、前記特定成分がコレステロールの場合は、被検者は通常高コレステロール血症患者であり、前記特定成分がトリグリセリドの場合は、被検者は通常肥満患者である。
【００３０】
図２に示すように、測定装置Ｂは、測定部１Ｂ、測定側通信部２Ｂ、測定側制御部３Ｂ、測定側記憶部４Ｂ、測定側日時計数部５Ｂ、入力部６Ｂ、表示部７Ｂおよび測温部８Ｂを備えている。
【００３１】
測定部１Ｂは、血液中のグルコース濃度を測定することにより血糖値を測定する部位であり、たとえば図１に示すセンサ１１Ｂと、このセンサ１１Ｂに導通する端子などを有する受容部（図示略）からなる。センサ１１Ｂは、たとえば乾燥試薬が設けられており、前記受容部に差し込まれる端子を有する。本実施形態のセンサ１１Ｂは、一回の使用の度に廃棄されるディスポーザルタイプのセンサである。
【００３２】
測定側通信部２Ｂは、多機能携帯端末Ｃと無線通信を行う部位であり、本実施形態においては、Bluetooth（登録商標）規格に準拠した無線通信が可能に構成されている。測定側通信部２Ｂの具体的構成は特に限定されないが、たとえばアンテナと制御用素子とが一体的に組み込まれた１チップＩＣである。なお、本発明における通信が準拠する通信規格は特に限定されず、たとえばＮＦＣ（Near Field Communication）規格などを適宜採用可能である。
【００３３】
測定側制御部３Ｂは、測定装置Ｂの動作および処理を制御するためのものであり、典型的には、ＣＰＵからなる。測定側制御部３Ｂがなす制御は、たとえば測定側記憶部４Ｂに記憶されたプログラムによって規定される。
【００３４】
測定側記憶部４Ｂは、測定装置Ｂの動作および処理を実現するためのプログラムや各種データが記憶される部位であり、典型的には半導体メモリからなる。本実施形態においては、測定側記憶部４Ｂは、プログラム領域４１Ｂ、測定データ領域４２Ｂ、測定日時データ領域４３Ｂおよびしきい値領域４４Ｂを有している。
【００３５】
プログラム領域４１Ｂは、測定装置Ｂの動作および処理を実現するための前記プログラムが記憶される領域である。測定データ領域４２Ｂは、測定部１Ｂによって測定された測定データ（血糖値）が記憶される領域である。測定日時データ領域４３Ｂは、測定側日時計数部５Ｂによって計数された測定日時データが記憶される領域である。しきい値領域４４Ｂは、測定データと比較されるべき各種しきい値データが記憶される領域である。
【００３６】
測定側日時計数部５Ｂは、一般的に時計機能と称される機能を果たす部位であり、たとえば測定部１Ｂによる測定が実行された日時を測定日時データとして測定側制御部３Ｂに出力する。なお、測定側日時計数部５Ｂは、測定側制御部３Ｂの一機能として統合された構成であってもよい。
【００３７】
入力部６Ｂは、測定装置Ｂの動作に必要な操作を使用者が入力する部位であり、たとえば押しボタンによって構成されている。
【００３８】
表示部７Ｂは、測定側制御部３Ｂの指令によって、測定装置Ｂの状態あるいは測定された血糖値を表示する部位であり、典型的には液晶ディスプレイからなる。
【００３９】
測温部８Ｂは、測定装置Ｂあるいはその周辺環境の温度を測定するためのものであり、たとえば熱電対、サーミスタ、測温抵抗体などである。
【００４０】
多機能携帯端末Ｃは、測定装置Ｂとの通信機能および音声出力機能を具備している。多機能携帯端末Ｃとしては、様々なデバイスが採用できるが、典型的には携帯電話機が採用される。多機能携帯端末Ｃとして用いられる携帯電話機としては、たとえばＡｎｄｒｏｉｄＯＳ（登録商標）またはｉＯＳ（登録商標）などの基本ＯＳを実行可能に構成された、いわゆるスマートフォンと称されるものが好適に挙げられる。また、通話機能を必須機能として有さない、いわゆるタブレットと称される端末を、多機能携帯端末Ｃとして用いてもよい。
【００４１】
図３に示すように、多機能携帯端末Ｃは、出力側通信部２Ｃ、出力側制御部３Ｃ、出力側記憶部４Ｃ、出力側日時計数部５Ｃ、入力部６Ｃ、表示部７Ｃ、音声出力部８Ｃ、振動発生部８１Ｃおよび位置情報取得部９Ｃを備えている。
【００４２】
出力側通信部２Ｃは、測定装置Ｂと無線通信を行う部位であり、本実施形態においては、Bluetooth（登録商標）規格に準拠した無線通信が可能に構成されている。出力側通信部２Ｃの具体的構成は特に限定されないが、たとえばアンテナと制御用素子とが一体的に組み込まれた１チップＩＣである。なお、上述したように、本発明における通信が準拠する通信規格は特に限定されず、たとえばＮＦＣ（Near Field Communication）規格などを適宜採用可能である。
【００４３】
また、本実施形態においては、出力側通信部２Ｃは、たとえば国際電気通信連合が定めるIMT-2000(International Mobile Telecommunication 2000)規格に準拠した無線通信が可能に構成されている。IMT-2000規格に準拠した無線通信により、多機能携帯端末Ｃは、図１に示すインターネット（公衆通信回線）にアクセス可能となっている。なお、出力側通信部２Ｃは、互いに分離配置されたBluetooth（登録商標）規格に準拠した無線通信を行うＩＣチップとIMT-2000規格に準拠した無線通信を行うＩＣチップとによって構成されてもよいし、これらの複数の無線通信を一括して行う１チップＩＣによって構成されてもよい。
【００４４】
出力側制御部３Ｃは、多機能携帯端末Ｃの動作および処理を制御するためのものであり、典型的には、ＣＰＵからなる。出力側制御部３Ｃがなす制御は、たとえば出力側記憶部４Ｃに記憶されたプログラムによって規定される。
【００４５】
出力側記憶部４Ｃは、多機能携帯端末Ｃの動作および処理を実現するためのプログラムや各種データが記憶される部位であり、典型的には半導体メモリからなる。特に、スマートフォンとして構成された多機能携帯端末Ｃにおいては、ＲＯＭやＳＤメモリカードなどが組み合わされて出力側記憶部４Ｃを構成している。本実施形態においては、出力側記憶部４Ｃは、プログラム領域４１Ｃ、測定データ領域４２Ｃ、測定日時データ領域４３Ｃ、しきい値領域４４Ｃ、音声データ領域４５Ｃおよび位置データ領域４６Ｃを有している。
【００４６】
プログラム領域４１Ｃは、多機能携帯端末Ｃの動作および処理を実現するための前記プログラムが記憶される領域である。スマートフォンとして構成された多機能携帯端末Ｃにおいては、前記プログラムは、ＡｎｄｒｏｉｄＯＳ（登録商標）またはｉＯＳ（登録商標）などの基本ＯＳと、各種の応用プログラムを含む。この応用プログラムは、たとえばアプリの略称で広く認知されているものが相当し、典型的には、図１に示すインターネット（公衆通信回線）を経由して多機能携帯端末Ｃに配信される。測定データ領域４２Ｃは、測定装置Ｂから送信された測定データ（血糖値）が記憶される領域である。測定日時データ領域４３Ｃは、測定装置Ｂから送信された測定日時データが記憶される領域である。しきい値領域４４Ｃは、測定データと比較されるべき各種しきい値データが記憶される領域である。
【００４７】
音声データ領域４５Ｃは、音声出力部８Ｃから出力されるべき各種音声データが記憶される領域である。位置データ領域４６Ｃは、位置情報取得部９Ｃによって取得された位置データ、さらには、この位置データと比較されるべき位置に関するデータが記憶される領域である。
【００４８】
出力側日時計数部５Ｃは、一般的に時計機能と称される機能を果たす部位であり、出力側制御部３Ｃに現在時刻を出力する。なお、出力側日時計数部５Ｃは、出力側制御部３Ｃの一機能として統合された構成であってもよい。また、出力側制御部３Ｃは、インターネットから供給される時刻データを利用して、出力側日時計数部５Ｃの時刻補正を行なってもよい。
【００４９】
入力部６Ｃは、多機能携帯端末Ｃの使用者が操作入力するための部位であり、典型的には、表示部７Ｃに積層された透過式のタッチスクリーンである。このようなタッチスクリーンとしては、たとえば静電式あるいは抵抗式のものが挙げられる。また、入力部６Ｃは、タッチスクリーンに加えて押ボタンを適宜含んでいてもよい。
【００５０】
表示部７Ｃは、出力側制御部３Ｃの指令によって、種々の情報を文字や図柄として表示する部位であり、典型的には液晶ディスプレイあるいは有機ＥＬディスプレイからなる。多機能携帯端末Ｃがスマートフォンとして構成されている場合、表示部７Ｃは、フルカラー表示が可能とされている。
【００５１】
音声出力部８Ｃは、出力側制御部３Ｃの指令によって、音声データに基づいた音声を出力する部位であり、たとえばアンプおよびスピーカからなる。また、音声出力部８Ｃとしては、イヤホン端子およびこのイヤホン端子に接続されるイヤホンを適宜含んでいてもよい。また、音声出力部８Ｃとしては、空気を振動させることによって使用者の耳に音声を伝達する方式に限定されず、たとえば骨伝導形式を採用してもよい。骨伝導方式の音声出力部８Ｃによれば、使用者の顎や頭蓋骨などの骨を介して、内耳から脳に音声を伝達する。このような音声出力部８Ｃは、たとえば使用者の耳の後ろにある乳様突起と称される骨に直接振動を付与しうる構成が採用される。
【００５２】
振動発生部８１Ｃは、多機能携帯端末Ｃ全体を振動させ得る振動源を備えており、たとえば小型モータが内蔵されている。振動発生部８１Ｃが振動を発生することにより、多機能携帯端末Ｃを所持する者が、何らかの報知が生じたことを認識することができる。後述する測定システムＡの動作制御においては、表示部７Ｃへの表示および音声出力部８Ｃによる音声出力に併せて、振動発生部８１Ｃによる振動発生を補助的な報知手段として用いる。振動発生部８１Ｃに振動を発生させるか否かの判断は、たとえば多機能携帯端末Ｃがいわゆるマナーモードに設定されているか否かに従えばよい。
【００５３】
位置情報取得部９Ｃは、多機能携帯端末Ｃの現在位置を取得する部位であり、たとえばGlobal Positioning System（以下、ＧＰＳ）測位を実行する。なお、多機能携帯端末Ｃが上述したIMT-2000規格に準拠した無線通信を行う場合、いわゆる基地局情報に基いて現在位置を取得する構成であってもよい。さらには、多機能携帯端末Ｃが無線ＬＡＮ規格に準拠した無線通信を行う場合、アクセスポイント情報に基いて現在位置を取得する構成であってもよい。
【００５４】
次に、測定システムＡの動作制御について、図４〜図１４を参照しつつ以下に説明する。なお、測定装置Ｂは、図４〜図１４に示す処理Ｐ０１〜Ｐ１１のすべてを実行可能な構成例として説明するが、本発明に係る測定システムは、これらの処理全てを行う構成、いずれかの処理を選択的に行う構成、あるいは他の処理を追加的に行う構成などを適宜採用しうる。また、測定システムＡにおいて処理Ｐ０１〜Ｐ１１のいずれが実施されるかは、測定装置Ｂあるいは多機能携帯端末Ｃにおける操作入力によって適宜選択設定される。または、多機能携帯端末Ｃの前記アプリが所定のアルゴリズムにしたがって、処理Ｐ０１〜Ｐ１１を自動的に選択してもよい。
【００５５】
＜処理Ｐ０１＞
図４は、処理Ｐ０１を示すフローチャートである。処理Ｐ０１は、主に、測定装置Ｂによる測定と通信確立までを行う。まず、測定装置Ｂが動作可能な状態におかれる（ステップＳ０１０Ｂ）。この状態は、たとえば測定装置Ｂに所定の充電されたバッテリーが搭載されたいわゆるスタンバイ状態である。次いで、センサ１１Ｂが挿入されると測定装置Ｂが上述したスタンバイ状態から動作可能な電源ＯＮ状態となる（ステップＳ０１１Ｂ）。
【００５６】
使用者は、自己の血液を所定量だけ採取し、この血液をセンサ１１Ｂの先端に点着させる。この点着をたとえば電気的に検出することにより（ステップＳ０１２Ｂ）、測定部１Ｂによる測定処理が行われる（ステップＳ０１３Ｂ）。測定部１Ｂによって血液中のグルコースの濃度が測定されると、その結果が測定データとして測定側制御部３Ｂに送られ、測定側記憶部４Ｂの測定データ領域４２Ｂに格納される。
【００５７】
また、測定装置Ｂにおいては、測定処理（ステップＳ０１３Ｂ）が完了すると、自動的に多機能携帯端末Ｃとの通信確立がなされる（ステップＳ０１４Ｂ）。たとえば、Bluetooth（登録商標）規格に準拠した無線通信の場合、測定装置Ｂと多機能携帯端末Ｃとを相互に認識させる通信初期設定処理にあたるいわゆるペアリング処理が処理Ｐ０１の実行に先立ってあらかじめ完了している。このため、ステップＳ０１４Ｂにおいては、測定装置Ｂからの接続要求に対して多機能携帯端末Ｃが応答することにより、通信確立がなされる。以上の処理により、測定装置Ｂにおける測定が完了し、その結果を多機能携帯端末Ｃに送信可能な状態となる。以降に説明する処理においては、便宜上異なる符号が付されていても特に相違点を述べる場合を除き、測定装置Ｂにおいて同様の処理がなされる。
【００５８】
＜処理Ｐ０２＞
図５は、処理Ｐ０２を示すフローチャートである。処理Ｐ０２は、測定装置Ｂによって測定された血糖値を多機能携帯端末Ｃが音声として出力する（読み上げる）ものである。測定装置ＢにおけるステップＳ０２０ＢおよびステップＳ０２１Ｂは、上述したステップＳ０１０ＢおよびステップＳ０１３Ｂと同様であり、ステップＳ０２２Ｂを実行する前に、上述したステップＳ０１０Ｂ〜ステップＳ０１４Ｂに相当する処理が完了している。次いで、測定側制御部３Ｂの指令により、測定側記憶部４Ｂの測定データ領域４２Ｂに格納された測定データを、測定側通信部２Ｂから送信する（ステップＳ０２２Ｂ）。
【００５９】
一方、多機能携帯端末Ｃにおいては、あらかじめスタンバイ状態または電源ＯＮ状態とされている（ステップＳ０２０Ｃ）。多機能携帯端末Ｃにおいては、以降に説明する処理を行うためには、所定のプログラム（アプリ）が起動している必要がある。このアプリの起動は、使用者が明示的に実行開始の操作を入力部６Ｃから行なってもよいし、多機能携帯端末Ｃの電源ＯＮに伴って自動的になされてもよい。なお、多機能携帯端末Ｃにおいては、所定のアプリが一度起動されると、その後に多機能携帯端末Ｃがスタンバイ状態となってもバックグラウンド起動した状態が保たれている。
【００６０】
前記アプリは、出力側記憶部４Ｃのプログラム領域４１Ｃにあらかじめ格納されている。なお、このアプリは、たとえば使用者が測定装置Ｂを購入した後に、測定装置Ｂに添付されたＵＲＬ（ＱＲコード（登録商標）の形態で記述されていてもよい）に多機能携帯端末Ｃからアクセスすることにより、インターネット経由で提供されてもよい。
【００６１】
測定装置Ｂからの送信要求を検出すると、出力側制御部３Ｃは所定のアプリに規定された処理として出力側通信部２Ｃによって測定データを受信し、出力側記憶部４Ｃの測定データ領域４２Ｃに格納する（ステップＳ０２１Ｃ：Ｙｅｓ）。測定装置Ｂからの受信を完了するまでは、多機能携帯端末Ｃは受信待機状態を維持する（ステップＳ０２１Ｃ：Ｎｏ）。
【００６２】
次に、出力側制御部３Ｃは、測定値音声データの選択または生成を行う。出力側制御部３Ｃは、出力側記憶部４Ｃの測定データ領域４２Ｃに格納された測定データを参照する。この測定データは、測定された血液中のグルコース濃度（血糖値）である。出力側制御部３Ｃは、この血糖値を所定の測定単位に準拠した数値に換算する。あるいは、測定装置Ｂにおいて所定の測定単位に準拠した数値が生成され、この数値を含む測定データが送信されていてもよい。出力側記憶部４Ｃの音声データ領域４５Ｃには、種々の数値を読み上げることに対応する音声データが格納されている。出力側制御部３Ｃは、出力側記憶部４Ｃの音声データ領域４５Ｃに格納されたこれらの音声データから測定データに対応したものを測定値音声データとして選択する。あるいは、出力側制御部３Ｃが前記アプリに含まれたアルゴリズムに従い、前記数値を読み上げることに対応した測定値音声データを生成する構成であってもよい。または、出力側記憶部４Ｃの音声データ領域４５Ｃに格納された部分的な音声データを選択し、これらを合成することによって、測定値音声データを生成する構成であってもよい（ステップＳ０２２Ｃ）。
【００６３】
次に、出力側制御部３Ｃは、測定値音声データを音声出力部８Ｃに出力させる（Ｓ０２３Ｃ）。これにより、使用者は、多機能携帯端末Ｃから読み上げられる測定値を聞き取ることにより、測定結果を確認する。なお、図１に示すように、測定値である血糖値を、測定装置Ｂの表示部７Ｂや多機能携帯端末Ｃの表示部７Ｃに表示してもよい。
【００６４】
＜処理Ｐ０３＞
図６は、処理Ｐ０３を示すフローチャートである。処理Ｐ０３は、多機能携帯端末Ｃによって測定値を読み上げることに加えて、しきい値比較結果音声データを読み上げる。まず、測定装置ＢにおいてステップＳ０３０ＢおよびステップＳ０３１Ｂが実行される。ステップＳ０３１Ｂの完了は、上述したステップＳ０１０Ｂ〜ステップＳ０１４Ｂに相当する処理の完了を意味している。
【００６５】
一方、多機能携帯端末Ｃにおいては、まずステップＳ０３０ＣおよびステップＳ０３１Ｃが実行される。これらのステップＳ０３０Ｃ，Ｓ０３１Ｃは、上述したステップＳ０２０Ｃ，Ｓ０２１Ｃと同様である。
【００６６】
次いで、出力側制御部３Ｃは、しきい値比較処理を行う（ステップＳ０３２Ｃ）。出力側記憶部４Ｃのしきい値領域４４Ｃには、各種のしきい値データが格納されている。各しきい値データは、測定装置Ｂからの測定値が比較されるものである。たとえば、しきい値の例としては、健康な人、糖尿病患者、測定システムＡを使用する個人などにとって低めと認識される血糖値、あるいは高めと認識される血糖値である。なお、このしきい値データは、たとえば前記アプリのインストールなどによって予め用意された値が設定されてもよいし、前記アプリの起動後に使用者の任意で操作入力により設定されるものであってもよい。
【００６７】
次いで、出力側制御部３Ｃは、しきい値比較処理の結果に応じたしきい値比較結果音声データ処理を行う（ステップＳ０３３Ｃ）。出力側記憶部４Ｃの音声データ領域４５Ｃには、しきい値比較結果に応じた複数のしきい値比較結果音声データが格納されている。たとえば、しきい値と比較した結果、測定値が比較的高めであるときは、しきい値比較結果音声データとして「高めです」と読み上げるものが選択され、しきい値と比較した結果、測定値が比較的低めであるときは、しきい値比較結果音声データとして「低めです」あるいは「低いのでもう一回測ってみましょう」と読み上げるものが選択される。
【００６８】
次いで、ステップＳ０３４Ｃが実行される。これは、上述したステップＳ０２２Ｃと同様である。次いで、ステップＳ０３５ＣおよびステップＳ０３６Ｃが順次実行される。ステップＳ０３５Ｃは、上述したステップＳ０２３Ｃと同様であり、測定された血糖値が読み上げられる。ステップＳ０３６Ｃにおいては、ステップＳ０３３Ｃによって選択されたしきい値比較結果音声データが音声出力部８Ｃから出力される。
【００６９】
＜処理Ｐ０４＞
図７は、処理Ｐ０４を示すフローチャートである。処理Ｐ０４は、測定装置Ｂから測定データとともに比較結果フラグが送信される。まず測定装置ＢにおいてステップＳ０４０Ｂ，Ｓ０４１Ｂが実行される。次いで、測定側制御部３Ｂは、しきい値比較処理（ステップＳ０４２Ｂ）を行う。測定側記憶部４Ｂのしきい値領域４４Ｂには、測定値と比較されるべき複数のしきい値データが格納されている。これらのしきい値データは、上述した処理Ｐ０３におけるしきい値データと同様のしきい値であってもよい。あるいは、たとえば測定装置Ｂによって適切に測定されうる血糖値範囲の上限および下限に相当する血糖値をしきい値としてもよい。測定側制御部３Ｂは、測定値としきい値とを比較し、その結果に応じて比較結果フラグを生成する。この比較結果フラグは、測定値が高めか低めであることを意味するもの、あるいは測定値が測定範囲の上限または下限を超えたものであることを意味するもの、などである。なお、このしきい値データは、たとえば前記アプリのインストールなどによって予め用意された値が設定されてもよいし、前記アプリの起動後に使用者の任意で設定されるものであってもよい。
【００７０】
次いで、測定側制御部３Ｂは、ステップＳ０４３ＢおよびステップＳ０４４Ｂを順次実行する。ステップＳ０４３Ｂは、上述したステップＳ０２２Ｂと同様である。ステップＳ０４４Ｂにおいては、測定側制御部３Ｂは、ステップＳ０４２Ｂにおいて生成した比較結果フラグを測定側通信部２Ｂによって送信する。
【００７１】
一方、多機能携帯端末Ｃにおいては、ステップＳ０４０Ｃを経て、ステップＳ０４１Ｃを実行することにより、測定データと比較結果フラグとを受信する。そして、ステップＳ０４２Ｃにおいて、比較結果フラグをあらかじめ用意されたテーブルまたはリストと比較することにより、測定値音声データの生成または選択の要否、すなわち測定値の読み上げの要否を判断する。比較結果フラグが高めや低めを意味する場合（ステップＳ０４２Ｃ：Ｙｅｓ）、ステップＳ０４３Ｃ〜Ｓ０４６Ｃを実行する。これらのステップＳ０４３Ｃ〜Ｓ０４６Ｃは、上述したステップＳ０３３Ｃ〜Ｓ０３６Ｃと同様である。
【００７２】
比較結果フラグが測定値が測定範囲の上限または下限を超えたものであることを意味する場合（ステップＳ０４２Ｃ：Ｎｏ）、出力側制御部３Ｃは、受信した比較結果フラグに基いて出力側記憶部４Ｃの音声データ領域４５Ｃから対応するしきい値比較結果音声データを選択する（ステップＳ０４３Ｃ）。このしきい値比較結果音声データは、たとえば「測定値が測定レンジから外れています」、「もう一度測定して下さい」や「２回続けて測定レンジ外となりました。測定装置が正常に動作していない可能性もあります」などの音声である。次いで、出力側制御部３Ｃは、しきい値比較結果音声データを音声出力部８Ｃから出力する（ステップＳ０４６Ｃ）。測定値が適切な範囲ではなかったため、測定値の読み上げに対応する処理は省略される。
【００７３】
＜処理Ｐ０５＞
図８は、処理Ｐ０５を示すフローチャートである。処理Ｐ０５においては、測定装置Ｂによって測定がなされた日時に関連した処理がなされる。まず、測定装置ＢにおいてステップＳ０５０Ｂ，Ｓ０５１Ｂが実行される。また、測定側制御部３Ｂは、測定側日時計数部５ＢからステップＳ０５１Ｂを実行した日時を取得し、測定側記憶部４Ｂの測定日時データ領域４３Ｂに格納する（ステップＳ０５２Ｂ）。そして、測定側制御部３Ｂは、測定側通信部２Ｂによって測定データの送信（ステップＳ０５３Ｂ）と測定日時データの送信（ステップＳ０５４Ｂ）を実行する。
【００７４】
多機能携帯端末Ｃにおいては、ステップＳ０５０Ｃの後に、出力側制御部３Ｃが、測定データの受信（ステップＳ０５１Ｃ）と測定日時データの受信（ステップＳ０５２Ｃ）とを実行する。次いで、出力側制御部３Ｃは、測定データに対応した測定値音声データを選択または生成する（ステップＳ０５３Ｃ）。一方、出力側記憶部４Ｃの音声データ領域４５Ｃには、測定日時に応じた複数の測定時間帯音声データが格納されている。これらの測定時間帯音声データの内容は、たとえば「朝食前です」、「朝食後です」、「昼食前です」、「昼食後です」、「夕食前です」、「夕食後です」などである。出力側制御部３Ｃは、受信した測定日時データに基づき、対応する測定時間帯音声データを選択する（ステップＳ０５４Ｃ）。そして、出力側制御部３Ｃは、音声出力部８Ｃからの測定時間帯音声データの出力（ステップＳ０５５Ｃ）および測定値音声データの出力（ステップＳ０５６Ｃ）を順次行う。なお、出力側制御部３Ｃが受信した測定日時データに基づき、いずれの測定時間帯に該当するかの判断は、測定日時データを測定時間帯に対応させるテーブル、リストあるいはしきい値を用いた判定処理によって行う。これらのテーブル、リストあるいはしきい値は、出力側記憶部４Ｃに記憶されており、たとえば前記アプリのインストールなどによって予め用意されたテーブル、リストあるいはしきい値が設定されてもよいし、前記アプリの起動後に使用者の任意で設定されるものであってもよい。
【００７５】
処理Ｐ０５の変形例としては、測定装置Ｂにおいて生成された測定時間帯フラグが、測定日時データ送信（ステップＳ０５４Ｂ）において、測定日時データとともに、あるいは測定日時データに代えて、多機能携帯端末Ｃに送信される構成であってもよい。多機能携帯端末Ｃにおいては、受信した測定時間帯フラグに基いて、上述した測定時間帯音声データの選択を行う（ステップＳ０５３Ｃ）。この測定時間帯フラグは、「朝食前」、「昼食後」、「夕食前」などの時間帯に対応して用意される。測定装置Ｂにおける測定時間帯フラグの生成は、典型的には、測定処理（ステップＳ０５１Ｂ）に前後して、使用者がたとえば測定装置Ｂの入力部６Ｂからいずれの時間帯であるかを選択入力することによって決定される。あるいは、測定側制御部３Ｂが、所定のテーブル、リストあるいはしきい値を用いて測定日時データに基いて測定時間帯フラグを生成する構成であってもよい。
【００７６】
また、処理Ｐ０５の他の変形例としては、出力側記憶部４Ｃの音声データ領域４５Ｃに、測定日時そのものの読み上げに対応する音声データが格納された構成、あるいは出力側制御部３Ｃによって測定日時そのものに対応する音声データが生成される構成であってもよい。この場合、これらの処理がステップＳ０５４Ｃに対応するステップで実行され、ステップＳ０５６Ｃにおいては、測定日時そのものが音声によって音声出力部８Ｃから出力される。
【００７７】
＜処理Ｐ０６＞
図９は、処理Ｐ０６を示すフローチャートである。処理Ｐ０６は、処理Ｐ０５に類似しているものの、複数の測定データを一括して処理する構成とされている。ステップＳ０６０Ｂ〜Ｓ０６２Ｂを実行した後に、測定側記憶部４Ｂの測定データ領域４２Ｂに、未送信の測定データが残されているかを判定する（ステップＳ０６３Ｂ）。未送信であるかの判定は、たとえば送信された測定データに送信済みフラグを付する構成とすることによって実現される。未送信の測定データが残っているケースとしては、前述した処理Ｐ０５の実行に際して、測定（ステップＳ０５１Ｂ，Ｓ０５２Ｂ）が複数回なされたものの、多機能携帯端末Ｃが携帯されていない、あるいは通信が適切に確立されていないなどの理由により、前述した送信処理（ステップＳ０５３Ｂ，Ｓ０５４Ｂ）が適切になされず、処理Ｐ０５が完了しなかった場合である。この場合、測定側記憶部４Ｂの測定日時データ領域４３Ｂには、これらの未送信の測定データに対応した複数の測定日時データが格納されている。未送信の測定データが認められた場合（ステップＳ０６３Ｂ：Ｙｅｓ）、ステップＳ０６１Ｂ，Ｓ０６２Ｂによって得られた測定データおよび測定日時データとともに、未送信であった測定データおよび測定日時データが一括してステップＳ０６４Ｂ，Ｓ０６５Ｂにおいて送信される。未送信の測定データが認められない場合（ステップＳ０６３Ｂ：Ｎｏ）、上述した処理Ｐ０５と同様の処理が実行される。
【００７８】
多機能携帯端末Ｃにおいては、ステップＳ０６１Ｃ，Ｓ０６２Ｃを実行することにより、これらの測定データおよび測定日時データを一括して受信する。ステップＳ０６３Ｃ〜Ｓ０６６Ｃにおいては、これらの測定データおよび測定日時データのすべてに対応して実行してもよいし、たとえば測定データから最新の測定データを選択し、この最新の測定データおよびこれに対応する測定日時データのみについて、ステップＳ０６３Ｃ〜Ｓ０６６Ｃを実行してもよい。
【００７９】
＜処理Ｐ０７＞
図１０は、処理Ｐ０７を示すフローチャートである。処理Ｐ０７においては、これまでの測定履歴との比較結果が出力される。測定装置Ｂにおいては、ステップＳ０７０Ｂ〜Ｓ０７４Ｂが実行される。多機能携帯端末Ｃにおいては、ステップＳ０７０Ｃ〜Ｓ０７２Ｃが実行されることにより、測定データと測定日時データとが受信される。出力側制御部３Ｃは、受信した測定日時データからたとえば測定時間帯を特定する。そして、出力側記憶部４Ｃの測定データ領域４２Ｃから、同じ測定時間帯に測定された過去の測定データを選択し、受信した測定データと比較する（ステップＳ０７３Ｃ）。出力側記憶部４Ｃの音声データ領域４５Ｃには、履歴比較の結果に対応した複数の履歴比較結果音声データが格納されている。履歴比較結果音声データの内容は、「前回の同じ時間帯の測定値と比べて高めです」、「前回の同じ時間帯の測定値と比べて低めです」「今回は１２０，前回の朝食前血糖値は１３０で、１０下がりました」などである。出力側制御部３Ｃは、履歴比較処理（ステップＳ０７３Ｃ）の比較結果に対応した履歴比較結果音声データを選択する（ステップＳ０７４Ｃ）。そして、ステップＳ０７５Ｃ〜Ｓ０７８Ｃを実行することにより測定値音声データおよび測定時間帯音声データを音声出力部８Ｃから出力し、さらに履歴比較結果音声データを音声出力部８Ｃから出力する（ステップＳ０７９Ｃ）。
【００８０】
＜処理Ｐ０８＞
図１１は、処理Ｐ０８を示すフローチャートである。処理Ｐ０８は、使用者の測定頻度が適切であるかを判定し、その結果を出力する工程を含んでいる。まず、測定装置ＢにおいてステップＳ０８０Ｂ〜Ｓ０８４Ｂを実行する。多機能携帯端末Ｃにおいては、ステップＳ０８０Ｃ〜ステップＳ０８２Ｃを実行し、測定データおよび測定日時データを受信する。次いで、出力側制御部３Ｃは、出力側記憶部４Ｃの測定データ領域４２Ｃに格納された過去の測定データのうち最新の測定データに対応する測定日時データを測定日時データ領域４３Ｃから選択し、受信した測定日時データと比較する（ステップＳ０８３Ｃ）。この測定日時データの選択は、受信した測定日時データと同じ時間帯の測定日時データを選択してもよい。出力側記憶部４Ｃの音声データ領域４５Ｃには、頻度音声データが格納されている。頻度音声データの内容は、「毎日測定できています」、「前回の測定からＸ日経過しています」、「久しぶりの測定ですね」などである。次いで、出力側制御部３Ｃは、ステップＳ０８３Ｃの結果に基づき、頻度音声データを選択する（ステップＳ０８４Ｃ）。そして、ステップＳ０８５Ｃ〜ステップＳ０８８Ｃを実行することにより、測定値音声データおよび測定時間帯音声データを音声出力部８Ｃから出力し、さらに頻度音声データを音声出力部８Ｃから出力する（ステップＳ０８９Ｃ）。
【００８１】
＜処理Ｐ０９＞
図１２は、処理Ｐ０９を示すフローチャートである。処理Ｐ０９においては、過去の測定データを用いた平均値が出力される。まず、測定装置ＢにおいてステップＳ０９０Ｂ〜Ｓ０９４Ｂを実行する。多機能携帯端末Ｃにおいては、ステップＳ０９０Ｃ〜ステップＳ０９２Ｃを実行し、測定データおよび測定日時データを受信する。出力側制御部３Ｃは、出力側記憶部４Ｃの測定データ領域４２Ｃに格納された過去の複数の測定データから、受信した測定データと同じ時間帯の複数の測定データを選択し、これらの平均値を算出する（ステップＳ０９３Ｃ）。また、出力側制御部３Ｃは、測定値音声データの生成に類似した処理により、この平均値に対応した音声データを生成する。この音声データは、「この時間帯の平均値はＸです」などである。次いで、出力側制御部３Ｃは、ステップＳ０９４Ｃ〜Ｓ０９７Ｃを実行することにより、測定時間帯音声データおよび測定値音声データを音声出力部８Ｃから出力し、さらに平均値に対応する前記測定値音声データを音声出力部８Ｃから出力する（ステップＳ０９８Ｃ）。
【００８２】
処理Ｐ０９の変形例としては、平均値算出処理（ステップＳ０９３Ｃ）に加えて、算出された平均値と今回の測定データとの比較を行い、測定データの平均値に対する数値差を算出する構成が挙げられる。測定値音声データ処理（ステップＳ０９４Ｃ）においては、「平均値より１０高いです」などの内容の音声データを生成する。そして、測定値音声データ出力（ステップＳ０９８Ｃ）においては、測定値とともに平均値との比較結果が音声出力部８Ｃから出力される。
【００８３】
＜処理Ｐ１０＞
図１３は、処理Ｐ１０を示すフローチャートである。処理Ｐ１０は、測定装置Ｂの温度に関するステップを含んでいる。測定装置Ｂにおいて、ステップＳ１００Ｂ，Ｓ１０１Ｂを実行する。次いで、測定側制御部３Ｂは、測温部８Ｂから測定温度を取得し、この測定温度に基づいた測定温度フラグを生成する（ステップＳ１０２Ｂ）。この測定温度フラグは、測定装置Ｂの温度が測定に適した許容範囲にあるか否かに対応している。あるいは、測定装置Ｂの温度が高め、低めであることに対応していてもよい。次いで、測定側制御部３Ｂは、ステップＳ１０３Ｂ，１０４Ｂを実行することにより、測定データおよび測定温度フラグを送信する。
【００８４】
多機能携帯端末Ｃにおいては、ステップＳ１００Ｃ〜Ｓ１０２Ｃを実行することにより、測定データおよび測定温度フラグを受信する。出力側記憶部４Ｃの音声データ領域４５Ｃには、測定温度フラグに対応した複数の測定温度音声データが格納されている。出力側制御部３Ｃは、測定温度フラグに基いて測定値が有効であるか否かを判定する（ステップＳ１０３Ｃ）。たとえば、測定温度フラグが、温度が高めや低めであるものの許容範囲内にあることを意味する場合（ステップＳ１０３Ｃ：Ｙｅｓ）、出力側制御部３Ｃは、測定温度フラグに基いて「高めの測定温度です」や「低めの測定温度です」といった内容の測定温度音声データを選択する（ステップＳ１０４Ｃ）。そして、出力側制御部３Ｃは、ステップＳ１０５Ｃ，Ｓ１０６Ｃを実行することにより測定値音声データを音声出力部８Ｃから出力し、さらに測定温度音声データを音声出力部８Ｃから出力する（ステップ１０７Ｃ）。
【００８５】
一方、ステップＳ１０３Ｃにおいて、測定温度フラグに基づいた判定の結果、測定温度が許容範囲から逸脱していた場合（ステップＳ１０３Ｃ：Ｎｏ）、出力側制御部３Ｃは、測定温度フラグに基いて「測定温度が異常でした」や「もう一度測定して下さい」といった内容の測定温度音声データを選択する（ステップＳ１０４Ｃ）。そして、この測定温度音声データを音声出力部８Ｃから出力する（ステップＳ１０７Ｃ）。
【００８６】
＜処理Ｐ１１＞
図１４は、処理Ｐ１１を示すフローチャートである。処理Ｐ１１は、処理Ｐ１０とおおむね同様の処理であるが、上述したステップＳ１０３Ｃに類似のステップＳ１１３Ｃにおいて、Ｎｏと判定された場合のステップが異なっている。測定温度フラグに基づいた判定の結果、測定温度が許容範囲から逸脱していた場合（ステップＰ１１３Ｃ：Ｎｏ）、出力側制御部３Ｃは、これまでに同様の測定温度フラグ（許容範囲からの逸脱を意味するものなど）を受信した履歴を確認する。そして、たとえばある期間内において許容範囲からの逸脱を意味する測定温度フラグを所定回数以上受信していた場合、たとえば置かれている環境が適切でないと判断する。出力側記憶部４Ｃの音声データ領域４５Ｃには、不適切環境音声データが格納されている。不適切環境音声データの内容は、「測定装置の保管場所に注意しましょう」などである。出力側制御部３Ｃは、いずれかの不適切環境音声データを選択する（ステップＳ１１８Ｃ）。そして、出力側制御部３Ｃは、不適切環境音声データを音声出力部８Ｃから出力する（ステップＳ１１９Ｃ）。
【００８７】
さらに、測定システムＡは、様々な処理を行う構成としうる。
【００８８】
たとえば、上述した処理Ｐ０１〜Ｐ１１を実行する際に、多機能携帯端末Ｃにおいて出力側制御部３Ｃが位置情報取得部９Ｃから位置情報を得る。出力側記憶部４Ｃの位置データ領域４６Ｃには、音声出力が許可される領域を表す許可領域データまたは音声出力が禁止される禁止領域を表す禁止領域データが記憶されている。出力側制御部３Ｃは、得られた位置情報が許可領域に含まれた位置を示す場合、あるいは禁止領域に含まれない位置を示す場合に、音声出力部８Ｃからの音声出力を実行する。一方、得られた位置情報が許可領域に含まれない、あるいは禁止領域に含まれる場合、音声出力部８Ｃからの音声出力をあえて実行しないという処理を行う。この音声出力を実行しない処理を行う場合には、使用者に「位置情報に基づいて読み上げない」ことを確認的に報知してもよい。この報知は、たとえば表示部７Ｃへの文字画像表示によって行うことができる。また、表示部７Ｃへの表示と併せて、振動発生部８１Ｃによって振動を発生させてもよい。さらに「データを受信しましたが、現在地での血糖値読み上げは行いません。」という音声メッセージを出力してもよい。
【００８９】
多機能携帯端末Ｃにおける位置情報取得部９Ｃの位置情報の取得は、典型的には、処理Ｐ０１〜Ｐ１１を実行するためのアプリとは別に、多機能携帯端末Ｃの基本機能として用意された位置情報アプリを出力側制御部３Ｃが実行することによってなされる。また、上述した許可領域データおよび禁止領域データの具体的な領域データは、たとえば多機能携帯端末Ｃの入力部６Ｃから使用者が任意で設定する構成が採用できる。領域データの設定は、たとえば、許可領域または禁止領域の中心となる地点の位置入力や、許可領域または禁止領域となる範囲を規定する円の半径（距離）の入力を含む。中心地点の位置入力には、たとえば表示部７Ｃに任意の地域の地図を表示させ、その地図を参照して入力部６Ｃから操作入力する手法が挙げられる。許可領域の中心地点の例としては、たとえば使用者の自宅の所在地が挙げられる。また、禁止領域の中心地点の例としては、たとえば公共施設の所在地が挙げられる。さらに、たとえば、得られた位置情報が禁止領域に含まれる場合に、出力側制御部３Ｃは、位置情報と禁止領域の中心地点との距離を算出し、この距離に対応した音声データを生成した後に、音声出力部８Ｃからたとえば「Ｘ（禁止領域の中心地点）から半径Ｙｍ以内です」との音声を出力してもよい。この音声出力にあたっては、出力側制御部３Ｃが音声出力部８Ｃの出力ボリュームを低下させておくことが好ましい。
【００９０】
他の例としては、多機能携帯端末Ｃにおいて、出力側制御部３Ｃは、出力側通信部２Ｃによってインターネットから基準日時データを取得する。そして、出力側制御部３Ｃは、この基準日時データに基いて、出力側日時計数部５Ｃの計数を補正する。さらに、出力側制御部３Ｃは、測定装置Ｂから送信された測定日時データと出力側日時計数部５Ｃによって計数された日時データとの比較の結果、測定側日時計数部５Ｂに所定以上の誤差が生じていると判断した場合に、修正日時データを出力側通信部２Ｃから測定側通信部２Ｂへと送信する。測定側制御部３Ｂは、測定側通信部２Ｂによって受信された修正日時データに基いて、測定側日時計数部５Ｂの計数を補正する。また、出力側記憶部４Ｃの音声データ領域４５Ｃに、この日時補正を行ったことを示す内容の日時補正音声データが格納されている。この日時補正音声データの内容は、「測定装置の日時を補正しました」などである。そして、出力側制御部３Ｃは、この日時補正音声データを音声出力部８Ｃに出力させる。
【００９１】
次に、測定システムＡの作用について説明する。
【００９２】
本実施形態によれば、測定装置Ｂは、血糖値の測定とこの測定値を送信する機能を備えていれば、測定値に関する音声データの生成は、多機能携帯端末Ｃによってなされる。このため、処理Ｐ０２〜Ｐ１１に例示したような様々な音声出力を、多機能携帯端末Ｃに実行させるアプリを充実させることで実現可能であり、測定装置Ｂの構成を不当に複雑化する必要がない。特に、多機能携帯端末Ｃがいわゆるスマートフォンとして構成されている場合、大量に流通することによるハードコストの低減を図ることができる。またこれに加え、比較的安価な環境でアプリ開発が可能であり、さらにアプリの使用者増が見込まれることから、アプリを無料あるいはごく低廉な価格で提供可能である。したがって、多様な音声出力が可能であるとともに不当な複雑化を回避することが可能な測定システムＡを提供することができる。
【００９３】
出力側通信部２Ｃがインターネットに接続可能であることにより、多機能携帯端末Ｃに実行させるアプリの更新や各種音声データの追加などを容易に行うことができる。特に、使用者が自動更新を許可する設定をすれば、使用者が意識することなく、適切なタイミングでアプリの更新や各種音声データの追加などを行うことができる。
【００９４】
処理Ｐ０１においては、使用者は、センサ１１Ｂの挿入をすれば即座に測定を行うことが可能である。これにより、日常において高い頻度で行うことが求められる血糖値測定をより簡便に行うことができる。
【００９５】
処理Ｐ０２においては、測定値である血糖値そのものが多機能携帯端末Ｃから読み上げられる。スマートフォンに代表される多機能携帯端末Ｃは、使用者が聞き取りやすい位置に身に着けている可能性が高い。このような多機能携帯端末Ｃから血糖値が読みあげられれば、使用者は、目視などに頼ることなく血糖値を適切に把握することができる。
【００９６】
処理Ｐ０３においては、自己の血糖値が高めであるか、低めであるかなどの傾向を把握することが可能である。これにより、日々の食物摂取を再検討したり、適切な治療行為を受けるなどの改善行為を速やかに行うことができる。
【００９７】
処理Ｐ０４においては、その測定によって得られた血糖値が、測定結果として採用すべきものであるか、たとえばなんらかの理由による間違った測定によるものであるかを、測定直後に認識することができる。しきい値比較結果音声データとして様々な内容のものを用意すれば、使用者の注意を適切に喚起することができる。
【００９８】
処理Ｐ０５においては、測定時間帯が測定値とともに読み上げられる。これにより、使用者が測定時間帯を把握できることはもちろん、測定を習慣づけるきっかけとすることができる。
【００９９】
処理Ｐ０６においては、複数の測定データについて、最新のものを選択して読み上げたり、これまで把握できていなかった測定結果としての血糖値を把握することができる。このような構成により、互いに別体とされた測定装置Ｂと多機能携帯端末Ｃとが常に通信可能な状態に置かれていなくとも、日常の測定結果を有効に活用することができる。
【０１００】
処理Ｐ０７においては、過去の同時間帯における血糖値との比較結果を把握することができる。血糖値は、同一使用者であっても食事を基準とした時間帯によって傾向が大きく異なることが一般的である。このため、毎食前後に測定を継続していたとしても、そのときの測定結果のみが通知される構成では、ある時間帯における血糖値の傾向を把握することは困難である。処理Ｐ０７により、同じ時間帯における血糖値の傾向を容易かつ確実に把握することが可能である。
【０１０１】
処理Ｐ０８においては、測定頻度が適切であるか否かを使用者に把握させる事ができる。これにより、使用者自身としては適切な頻度で測定しているつもりでも、実際の測定頻度が充分でないような場合に、使用者にその状態を客観的に、かつ適切なタイミングで気づかせることができる。
【０１０２】
処理Ｐ０９においては、これまでの平均値、特に同時間帯における平均値に対して最新の血糖値がどのような値であるのかを容易に把握することができる。このような平均値との比較には、継続的に測定結果を蓄積し、かつ適切な算出処理が必要である。たとえば測定装置Ｂ単体を用いて、使用者が平均値との比較を把握しようとすると、相当の手間が生じるとともに、算出間違いなどのおそれがある。処理Ｐ０９によれば、使用者に負担をかけることなく、平均値との比較結果を把握することができる。
【０１０３】
処理Ｐ１０においては、測定温度が適切であったか否か、を把握することができる。測定温度が適切でない場合は、血糖値の確認を省略した上で、そのような状況となった原因の究明に注力することができる。一方、測定温度が許容範囲内であっても、測定温度が高めであったか低めであったかが明らかであれば、測定された血糖値との因果関係を把握する必要が生じた際に役立つという利点がある。
【０１０４】
処理Ｐ１１においては、測定装置Ｂの保管場所や保管方法、あるいは使用場所が、測定装置Ｂの製造者が想定していない状況にあることを、使用者にいち早く認識させる事ができる。これにより、適切な血糖値測定を再び開始することが可能であるとともに、予期しない測定装置Ｂの故障などを未然に防ぐことができる。
【０１０５】
本発明に係る測定システムは、上述した実施形態に限定されるものではない。本発明に係る測定システムの各部の具体的な構成は、種々に設計変更自在である。
【０１０６】
本発明で言う測定装置としては、乾燥試薬が付されたディスポーザルタイプのセンサを用いるものに限定されず、たとえば液状の試薬が複数回分内蔵されたタイプの測定装置であってもよい。このような構成の場合、測定装置において測定回数を計数し、試薬の交換時期が近づいたこと、あるいは交換時期が到来したことを示すフラグを測定装置から多機能携帯端末に送信し、「試薬を交換して下さい」などの音声を多機能携帯端末から出力してもよい。
【符号の説明】
【０１０７】
Ａ      測定システム
Ｂ      測定装置
１Ｂ    測定部
１１Ｂ  センサ
２Ｂ    測定側通信部
３Ｂ    測定側制御部
４Ｂ    測定側記憶部
４１Ｂ  プログラム領域
４２Ｂ  測定データ領域
４３Ｂ  測定日時データ領域
４４Ｂ  しきい値領域
５Ｂ    測定側日時計数部
６Ｂ    入力部
７Ｂ    表示部
８Ｂ    測温部
Ｃ      多機能携帯端末
２Ｃ    出力側通信部
３Ｃ    出力側制御部
４Ｃ    出力側記憶部
４１Ｃ  プログラム領域
４２Ｃ  測定データ領域
４３Ｃ  測定日時データ領域
４４Ｃ  しきい値領域
４５Ｃ  音声データ領域
４６Ｃ  位置データ領域
５Ｃ    出力側日時計数部
６Ｃ    入力部
７Ｃ    表示部
８Ｃ    音声出力部
９Ｃ    位置情報取得部
【図１】
2014209095.tif 000003
【図２】
2014209095.tif 000004
【図３】
2014209095.tif 000005
【図４】
2014209095.tif 000006
【図５】
2014209095.tif 000007
【図６】
2014209095.tif 000008
【図７】
2014209095.tif 000009
【図８】
2014209095.tif 000010
【図９】
2014209095.tif 000011
【図１０】
2014209095.tif 000012
【図１１】
2014209095.tif 000013
【図１２】
2014209095.tif 000014
【図１３】
2014209095.tif 000015
【図１４】
2014209095.tif 000016